(57)【特許請求の範囲】
【請求項１】
ラックに固定され、該ラックの前後方向に延びる支持レールと、
前記支持レールに沿って前記ラック内に収容されると共に該支持レールに支持される電子装置と、
前記ラックに設けられ、前記支持レールよりも上側に配置される上側支持部と、
前記電子装置が前記ラックから前記支持レールに沿って引き出された状態で、前記上側支持部から前記電子装置の引き出し側へ向けて斜め下方に延出し、前記ラックの外側で前記電子装置を保持する保持部材と、
を備え、
前記支持レールには、前記電子装置が前記ラックから引き出された状態で、該電子装置の後側が係合される、
ラックマウント装置。
【請求項２】
前記保持部材は、前記電子装置の重心よりも該電子装置の引き出し側で該電子装置を保持する、
請求項１に記載のラックマウント装置。
【請求項３】
ラックに設けられ、該ラックの前後方向に延びる支持レールと、
前記支持レールに沿って前記ラック内に収容されると共に該支持レールに支持される電子装置と、
前記ラックに設けられ、前記支持レールよりも上側に配置される上側支持部と、
前記電子装置が前記ラックから前記支持レールに沿って引き出された状態で、前記上側支持部から前記電子装置の引き出し側へ向けて斜め下方に延出し、前記ラックの外側で前記電子装置を保持する保持部材と、
を備え、
前記上側支持部は、前記電子装置の重心よりも上側に配置され、
前記保持部材は、前記電子装置の重心よりも下側で該電子装置を保持する、
ラックマウント装置。
【請求項４】
ラックに設けられ、該ラックの前後方向に延びる支持レールと、
前記支持レールに沿って前記ラック内に収容されると共に該支持レールに支持される電子装置と、
前記ラックに設けられ、前記支持レールよりも上側に配置される上側支持部と、
前記電子装置が前記ラックから前記支持レールに沿って引き出された状態で、前記上側支持部から前記電子装置の引き出し側へ向けて斜め下方に延出し、前記ラックの外側で前記電子装置を保持する保持部材と、
前記電子装置の側面における上部に設けられ、該電子装置の重心よりも後側に位置する上側係合部と、
前記ラックに設けられ、該ラックから前記電子装置が引き出された状態で前記上側係合部の上側に位置する上側被係合部と、
を備えるラックマウント装置。
【請求項５】
ラックに設けられ、該ラックの前後方向に延びる支持レールと、
前記支持レールに沿って前記ラック内に収容されると共に該支持レールに支持される電子装置と、
前記ラックに設けられ、前記支持レールよりも上側に配置される上側支持部と、
前記電子装置が前記ラックから前記支持レールに沿って引き出された状態で、前記上側支持部から前記電子装置の引き出し側へ向けて斜め下方に延出し、前記ラックの外側で前記電子装置を保持する保持部材と、
前記電子装置の側面における下部に設けられ、該電子装置の重心よりも後側に位置する下側係合部と、
前記ラックに設けられ、該ラックから前記電子装置が引き出された状態で前記下側係合部の後側に位置する下側被係合部と、
を備えるラックマウント装置。
【請求項６】
ラックに設けられ、該ラックの前後方向に延びる支持レールと、
前記支持レールに沿って前記ラック内に収容されると共に該支持レールに支持される電子装置と、
前記ラックに設けられ、前記支持レールよりも上側に配置される上側支持部と、
前記電子装置が前記ラックから前記支持レールに沿って引き出された状態で、前記上側支持部から前記電子装置の引き出し側へ向けて斜め下方に延出し、前記ラックの外側で前記電子装置を保持する保持部材と、
前記ラックに設けられ、前記支持レールの上に配置されると共に前記ラックの前後方向に延びるガイドレールと、
を備え、
前記保持部材は、下端部が前記電子装置の側面に回動軸を介して連結される回動アームとされ、
前記回動アームの上端部には、前記電子装置の引き出しに伴って前記ガイドレールに沿って移動するスライド部が設けられ、
前記上側支持部は、前記スライド部に対して前記ラックの引き出し側に配置され、前記ラックから前記電子装置が引き出された状態で前記スライド部と係合する、
ラックマウント装置。
【請求項７】
ラックに設けられ、該ラックの前後方向に延びる支持レールと、
前記支持レールに沿って前記ラック内に収容されると共に該支持レールに支持される電子装置と、
前記ラックに設けられ、前記支持レールよりも上側に配置される上側支持部と、
前記電子装置が前記ラックから前記支持レールに沿って引き出された状態で、前記上側支持部から前記電子装置の引き出し側へ向けて斜め下方に延出し、前記ラックの外側で前記電子装置を保持する保持部材と、
前記電子装置の側面から突出する被保持部と、
を備え、
前記保持部材は、上端部が前記上側支持部に回動軸を介して連結される回動アームとされ、
前記回動アームの下端部には、前記被保持部に対して前記ラックの引き出し側に配置され、前記電子装置の引き出しに伴って前記被保持部に引っ掛かるフック部が設けられる、
ラックマウント装置。
【請求項８】
ラックに設けられ、該ラックの前後方向に延びる支持レールと、
前記支持レールに沿って前記ラック内に収容されると共に該支持レールに支持される電子装置と、
前記ラックに設けられ、前記支持レールよりも上側に配置される上側支持部と、
前記電子装置が前記ラックから前記支持レールに沿って引き出された状態で、前記上側支持部から前記電子装置の引き出し側へ向けて斜め下方に延出し、前記ラックの外側で前記電子装置を保持する保持部材と、
前記保持部材は、下端部が前記電子装置の側面に取り付けられ、上端部が前記上側支持部に取り付けられる線状部材とされる、
ラックマウント装置。
【発明の詳細な説明】
【技術分野】
【０００１】
本願が開示する技術は、ラックマウント装置に関する。
【背景技術】
【０００２】
サーバ等の電子装置をラックに収容するためのラックマウント装置がある（例えば、特許文献１，２参照）。この種のラックマウント装置は、例えば、ラックに設けられ、ラック内に電子装置を案内するレールと、レールの端部に設けられ、電子装置の後側の下面に引っ掛けられる爪状の引掛け部とを備える。そして、ラックからの電子装置の引き出しに伴って、電子装置の後側の下面に引掛け部が引っ掛けられることにより、レールからの電子装置の脱落が抑制される。
【先行技術文献】
【特許文献】
【０００３】
【特許文献１】特開２００１−２４４６６３号公報
【特許文献２】特開２０１２−９４７０８号公報
【発明の概要】
【発明が解決しようとする課題】
【０００４】
しかしながら、前述したラックマウント装置では、爪状の引掛け部によって電子装置の後側を支持するため、電子装置の重量によって引掛け部が破損し易く、ラックから電子装置が脱落する可能性がある。
【０００５】
本願が開示する技術は、一つの側面として、ラックからの引き出しに伴う電子装置の脱落を抑制することを目的とする。
【課題を解決するための手段】
【０００６】
本願が開示する技術では、ラックマウント装置は、支持レールと、電子装置と、上側支持部と、保持部材とを備える。支持レールは、ラックに設けられ、該ラックの前後方向に延びる。電子装置は、支持レールに沿ってラック内に収容されると共に該支持レールに支持される。上側支持部は、ラックに設けられ、支持レールよりも上側に配置される。保持部材は、電子装置がラックから支持レールに沿って引き出された状態で、上側支持部から電子装置の引き出し側へ向けて斜め下方に延出し、ラックの外側で電子装置を保持する。
【発明の効果】
【０００７】
本願が開示する技術によれば、一つの側面として、ラックからの筐体の引き出しに伴う筐体の脱落を抑制することができる。
【図面の簡単な説明】
【０００８】
【図１】図１は、一実施形態に係るラックを横幅方向外側から見た側面図である。
【図２】図２は、図１に示されるラックを上側から見た平面図である。
【図３】図３は、図１に示されるラックを前側から見た前面図（正面図）である。
【図４】図４は、図１に示されるラックを横幅方向外側から見た断面図である。
【図５】図５は、図４に示されるラックから電子装置を引き出す途中の状態を示す断面図である。
【図６】図６は、図５に示されるラックから電子装置が引き出された状態を示す断面図である。
【図７Ａ】図７Ａは、図５に示されるロック機構の拡大側面図である。
【図７Ｂ】図７Ｂは、図７Ａに示されるロックピンが下側へ移動した状態を示す側面図である。
【図８Ａ】図８Ａは、図７Ｂに示されるロックピンが上側へ移動した状態を示す側面図である。
【図８Ｂ】図８Ｂは、図８Ａに示されるロックピンが下側へ移動した状態を示す側面図である。
【図９】図９は、比較例に係るラックマウント装置を示す前面図（正面図）である。
【図１０】図１０は、図９に示されるラックから電子装置が引き出された状態を示す側面図である。
【図１１】図１１は、図１に示されるラックに電子装置を搭載する過程を示す側面図である。
【図１２Ａ】図１２Ａは、前側ラック柱に取り付けられた上側保持部材を示す側面図である。
【図１２Ｂ】図１２Ｂは、図１２Ａに示される上側保持部材を示す前面図である。
【図１３】図１３は、図１２Ａに示される上側保持部材を示す側面図である。
【図１４】図１４は、図１２Ａに示される上側保持部材の変形例を示す側面図である。
【図１５】図１５は、前側ラック柱に取り付けられた線状部材を示す側面図である。
【図１６】図１６は、前側ラック柱に取り付けられた回動アームを示す側面図である。
【図１７】図１７は、前側ラック柱に取り付けられた回動アームを示す側面図である。
【図１８Ａ】図１８Ａは、図４に示されるロック機構の変形例を示す側面図である。
【図１８Ｂ】図１８Ｂは、図１８Ａに示されるラックから電子装置が引き出された状態を示す側面図である。
【図１９Ａ】図１９Ａは、図４に示されるロック機構の変形例を示す側面図である。
【図１９Ｂ】図１９Ｂは、図１９Ａに示されるラックから電子装置が引き出された状態を示す側面図である。
【図２０Ａ】図２０Ａは、図４に示されるロック機構の変形例を示す側面図である。
【図２０Ｂ】図２０Ｂは、図２０Ａに示されるラックから電子装置を引き出す途中の状態を示す側面図である。
【図２０Ｃ】図２０Ｃは、図２０Ｂに示されるラックから電子装置が引き出された状態を示す側面図である。
【図２１Ａ】図２１Ａは、図４に示されるロック機構の変形例を示す側面図である。
【図２１Ｂ】図２１Ｂは、図２１Ａに示される回転板が回転した状態を示す側面図である。
【図２１Ｃ】図２１Ｃは、図２１Ｂに示される下側突起部が回転板を通過した状態を示す側面図である。
【図２２Ａ】図２２Ａは、図４に示されるロック機構の変形例を示す側面図である。
【図２２Ｂ】図２２Ｂは、図２２Ａに示されるラックから電子装置が引き出された状態を示す側面図である。
【図２３Ａ】図２３Ａは、下側突起部と上側突起部との位置関係を示す側面図である。
【図２３Ｂ】図２３Ｂは、図２３Ａに示される電子装置が回転した状態を示す側面図である。
【発明を実施するための形態】
【０００９】
以下、本願が開示する技術の一実施形態について説明する。
【００１０】
（電子機器）
図１及び図２に示されるように、本実施形態に係る電子機器１０は、ラック１２と、ラックマウント装置３０とを備える。なお、各図に適宜示される矢印Ｆはラック１２の前後方向前側（前側）を示し、矢印Ｒはラック１２の前後方向後側（後側）を示す。また、矢印Ｗはラック１２の横幅方向を示し、矢印Ｈはラック１２の高さ方向（上下方向）を示す。
【００１１】
（ラック）
ラック１２は、箱状に形成される。図２に示されるように、ラック１２の前面（正面）１２Ｆには、後述する電子装置３２を収容するための収容口１４が形成される。一方、ラック１２の後面（背面）１２Ｒには、ラック１２に収容（搭載）された電子装置３２の後面を露出させる保守用の開口１６が形成される。
【００１２】
なお、図２には、ラック１２の外形が二点鎖線で示される。また、ラック１２の前面１２Ｆには、収容口１４を開閉する図示しない前側ドアが取り付けされる。さらに、ラック１２の後面１２Ｒには、開口１６を開閉する図示しない後側ドアが取り付けられる。
【００１３】
ラック１２は、一対の前側ラック柱１８及び後側ラック柱２０を２組有する。一対の前側ラック柱１８及び後側ラック柱２０は、断面形状がＬ字状に形成される。また、一対の前側ラック柱１８及び後側ラック柱２０は、ラック１２の前後方向に互いに対向される。さらに、一対の前側ラック柱１８及び後側ラック柱２０は、ラック１２の前後方向に間隔を空けて配置される。
【００１４】
前側ラック柱１８は、ラック１２の前側（矢印Ｆ側）の２つの角部にそれぞれ立てられる。各前側ラック柱１８は、互いに直交する前壁部１８Ｆ及び側壁部１８Ｓを有する。前壁部１８Ｆはラック１２の前面１２Ｆ側に配置され、側壁部１８Ｓはラック１２の側面１２Ｓ側に配置される。
【００１５】
後側ラック柱２０はラック１２の後側（矢印Ｒ側）の２つの角部にそれぞれ立てられる。各後側ラック柱２０は、互いに直交する後壁部２０Ｒ及び側壁部２０Ｓを有する。後壁部２０Ｒはラック１２の後面１２Ｒ側に配置され、側壁部２０Ｓはラック１２の側面１２Ｓ側に配置される。
【００１６】
図３に示されるように、前側ラック柱１８の前壁部１８Ｆには、後述するマウントブラケット５０の前端側が取り付けられる複数の取付開口２２が形成される。複数の取付開口２２は矩形状に形成されており、ラック１２の高さ方向（矢印Ｈ方向）に間隔を空けて配列される。これと同様に、後側ラック柱２０の後壁部２０Ｒには、マウントブラケット５０の後端側が取り付けられる図示しない複数の取付開口がラック１２の高さ方向に間隔を空けて形成される。
【００１７】
（ラックマウント装置）
図１及び図２に示されるように、ラックマウント装置３０は、電子装置３２と、一対のマウントブラケット５０と、一対の回動アーム６６とを備える。電子装置３２は、ラック１２の前面１２Ｆに形成された収容口１４からラック１２内に収容されると共に、収容口１４からラック１２の前側（外側）へ引き出される。
【００１８】
なお、電子装置３２の前後方向前側は、ラック１２の前後方向前側と同じ矢印Ｆで示され、電子装置３２の前後方向後側は、ラック１２の前後方向後側と同じ矢印Ｒで示される。また、電子装置３２の横幅方向は、ラック１２と同じ矢印Ｗで示される。また、電子装置３２の高さ方向は、ラック１２と同じ矢印Ｈで示される。さらに、本実施形態では、矢印Ｆ側で示されるラック１２の前側が電子装置３２の引き出し側とされる。
【００１９】
（電子装置）
電子装置３２は、筐体３４と、複数の前側内蔵ユニット３６Ｆと、複数の後側内蔵ユニット３６Ｒと、中央内蔵ユニット３６Ｍとを有する。なお、中央内蔵ユニット３６Ｍは、内蔵ユニットの一例である。
【００２０】
筐体３４は、箱状に形成される。図３に示されるように、筐体３４の前面には、複数の前側ユニット収容口３８が形成される。複数の前側ユニット収容口３８は、電子装置３２の高さ方向に配列される。これらの前側ユニット収容口３８には、前側内蔵ユニット３６Ｆがそれぞれ収容される。
【００２１】
筐体３４の後面には、図示しない複数の後側ユニット収容口が形成される。複数の後側ユニット収容口は、電子装置３２の高さ方向に配列される。これらの後側ユニット収容口には、後側内蔵ユニット３６Ｒがそれぞれ収容される。
【００２２】
さらに、図２に示されるように、筐体３４の上面における中央部には、上側ユニット収容口４２が形成される。この上側ユニット収容口４２には、中央内蔵ユニット３６Ｍが収容される。この中央内蔵ユニット３６Ｍは、筐体３４の上面に形成された上側ユニット収容口４２から当該筐体３４内に収容され、前側内蔵ユニット３６Ｆと後側内蔵ユニット３６Ｒとの間に配置される。
【００２３】
（マウントブラケット）
図２に示されるように、一対のマウントブラケット５０は、電子装置３２の横幅方向両側に配置される。各マウントブラケット５０は、一対の前側ラック柱１８及び後側ラック柱２０に対してラック１２の横幅方向内側に配置される。また、各マウントブラケット５０は、一対の前側ラック柱１８及び後側ラック柱２０に掛け渡される。
【００２４】
マウントブラケット５０は、ブラケット本体部５２と、前側フランジ部５４Ｆと、後側フランジ部５４Ｒと、支持レール６０と、ガイドレール６２と、上側支持部６４とを有する。ブラケット本体部５２は壁状に形成され、電子装置３２の側面３４Ｓと対向して配置される。また、ブラケット本体部５２は、一対の前側ラック柱１８及び後側ラック柱２０に亘って配置される。
【００２５】
前側フランジ部５４Ｆは、ブラケット本体部５２の前端部から前側ラック柱１８の前側へ延出しており、当該前側ラック柱１８の前壁部１８Ｆに重ねられる。この前側フランジ部５４Ｆは、前側ラック柱１８の前壁部１８Ｆに例えばビス５８によって固定される。
【００２６】
一方、後側フランジ部５４Ｒは、ブラケット本体部５２の後端部から後側ラック柱２０の後側へ延出しており、当該後側ラック柱２０の後壁部２０Ｒに重ねられる。この後側フランジ部５４Ｒは、後側ラック柱２０の後壁部２０Ｒに例えばビス５８によって固定される。
【００２７】
図３に示されるように、支持レール６０は、ブラケット本体部５２の下端部に沿って設けられると共に、当該下端部からラック１２の横幅方向内側へ延出される。また、支持レール６０の上には、電子装置３２がラック１２の前後方向にスライド可能に載置される。この支持レール６０によって、電子装置３２がラック１２の収容口１４からラック１２内へ案内される。
【００２８】
ガイドレール６２は、ブラケット本体部５２の上端部に沿って設けられると共に、当該上端部からラック１２の横幅方向内側へ延出される。また、ガイドレール６２の上には、後述する回動アーム６６のスライドピン７０がラック１２の前後方向にスライド可能に載置される。このガイドレール６２によって、スライドピン７０がラック１２の収容口１４からラック１２内へ案内される。また、ガイドレール６２は、電子装置３２の重心Ｇよりも上側に配置される。なお、スライドピン７０は、スライド部の一例である。
【００２９】
図４に示されるように、上側支持部６４は、ガイドレール６２におけるラック１２の前側の前端部６２Ｆから上側へ突出される。この上側支持部６４は、後述する回動アーム６６のスライドピン７０に対してラック１２の前側に配置される。
【００３０】
（回動アーム）
図３に示されるように、一対の回動アーム６６は、電子装置３２の横幅方向両側に配置される。図４に示されるように、回動アーム６６は、長尺状に形成される。この回動アーム６６の下端部６６Ｌは、回動軸６８を介して電子装置３２の筐体３４の側面３４Ｓに連結される。
【００３１】
回動軸６８は、筐体３４の側面３４Ｓからラック１２の横幅方向外側へ突出される。この回動軸６８の中心軸は、ラック１２の横幅方向に沿って配置される。また、回動軸６８は、電子装置３２の重心Ｇよりも電子装置３２の前側且つ下側に配置される。この回動軸６８を回動中心として、回動アーム６６の下端部６６Ｌが電子装置３２に対して回動される。
【００３２】
回動アーム６６の上端部６６Ｕには、スライド部の一例としてのスライドピン７０が設けられる。スライドピン７０は円柱状に形成される。このスライドピン７０は、回動アーム６６の上端部６６Ｕからラック１２の横幅方向外側へ突出され、ガイドレール６２の上に載置される。また、スライドピン７０の中心軸は、ラック１２の横幅方向に沿って配置される。このスライドピン７０を回動中心として、回動アーム６６の上端部６６Ｕが電子装置３２に対して回動される。
【００３３】
また、スライドピン７０は、ラック１２からの電子装置３２の引き出しに伴ってガイドレール６２に沿ってラック１２の前側（矢印Ｆ側）へ移動する。そして、図６に示されるように、ラック１２から電子装置３２が支持レール６０に沿ってラック１２の前側へ引き出された状態で、ガイドレール６２の上側支持部６４に係合される。この状態で、回動アーム６６は上側支持部６４から電子装置３２の引き出し側へ向けて斜め下方（矢印Ｋ方向）に延出すると共に、ラック１２の外側で電子装置３２の前側を保持する。なお、回動アーム６６は、保持部材の一例である。
【００３４】
（上側突起部）
電子装置３２の両側の側面３４Ｓには、上側係合部の一例としての上側突起部７２がそれぞれ設けられる。上側突起部７２は、電子装置３２の後側の側面３４Ｓからラック１２の横幅方向外側へ突出し、ガイドレール６２の下側に配置される。換言すると、ガイドレール６２は、上側突起部７２の上側に配置される。この上側突起部７２は、図６に二点鎖線で示されるように、ラック１２から電子装置３２が引き出された状態で、ガイドレール６２とラック１２の高さ方向に係合される。なお、ガイドレール６２は、上側被係合部の一例である。
【００３５】
（下側突起部）
電子装置３２の両側の側面３４Ｓには、下側係合部の一例としての下側突起部７４が設けられる。下側突起部７４は、上側突起部７２よりも下側に配置される。この下側突起部７４は、電子装置３２の後側の側面３４Ｓからラック１２の横幅方向外側へ突出される。なお、下側突起部は、下側係合部の一例である。
【００３６】
また、支持レール６０における前側には、ロック機構７６が設けられる。ロック機構７６は、図７Ａに示されるように、固定台７８と、ロックピン８２と、ロック解除部材９０とを有する。なお、ロックピン８２は、下側被係合部の一例である。
【００３７】
固定台７８は、下方が開口されたＵ字状に形成されており、支持レール６０の上面に固定される。この固定台７８の上壁部７８Ａには、当該上壁部７８Ａをラック１２の高さ方向に貫通する貫通孔８０が形成される。
【００３８】
ロックピン８２は、固定台７８の貫通孔８０に挿入されると共に、当該貫通孔８０に沿ってラック１２の高さ方向に移動可能とされる。また、ロックピン８２の上端部には、ラック１２からの電子装置３２の引き出しに伴って下側突起部７４によって押し下げられる傾斜面８４が形成される。この傾斜面８４は、ロックピン８２の下端側から上端側に向かうに従ってラック１２の前側へ位置するように傾斜される。
【００３９】
ロックピン８２の下端部には、固定台７８の上壁部７８Ａの下面に係止される係止部８２Ａが設けられる。この係止部８２Ａと支持レール６０との間には、コイルスプリング等の弾性体８６が設けられる。この弾性体８６によって、ロックピン８２は固定台７８の上壁部７８Ａ側へ常時付勢されており、当該上壁部７８Ａに係止部８２Ａが係止された状態で保持される。また、係止部８２Ａには、後述するロック解除部材９０の傾斜面９８によって押し下げられる突起状の被押下部８８が設けられる。
【００４０】
ロック解除部材９０は、支持レール６０の上に配置されており、当該支持レール６０に沿ってラック１２の前後方向に移動可能とされる。このロック解除部材９０の後端部は、ガイドレール６２に固定された支柱９２にコイルスプリング等の弾性体９４を介して連結される。この弾性体９４によって、ロック解除部材９０はラック１２の後側へ常時付勢される。
【００４１】
また、ロック解除部材９０には、係合部９０Ａが設けられる。この係合部９０Ａが固定台７８に係合されることにより、ロック解除部材９０が弾性体９４の付勢力に抗して所定位置に保持される。一方、ロック解除部材９０の前端部は、作業者によって把持される把持部９０Ｂが設けられる。この把持部９０Ｂを作業者が弾性体９４の付勢力に抗してラック１２の前側へ引っ張ることにより、ロック解除部材９０が支持レール６０に沿ってラック１２の前側へ移動する。
【００４２】
また、ロック解除部材９０の中央部には、ロックピン８２の被押下部８８が挿入される開口９６が形成される。この開口９６の上縁部には、ロック解除部材９０のラック１２の前側への移動に伴って被押下部８８を押し下げる傾斜面９８が形成される。傾斜面９８は、被押下部８８に対して後側（矢印Ｒ側）に配置される。また、傾斜面９８は、ロック解除部材９０の下側から上側へ向かうに従ってラック１２の前側へ位置するように傾斜される。
【００４３】
次に、本実施形態の作用について説明する。
【００４４】
図４に示されるように、電子装置３２は、一対の支持レール６０の上に載置された状態でラック１２内に収容される。この状態では、電子装置３２の重心Ｇが支持レール６０の上に位置する。この状態から、図５に示されるように、電子装置３２が一対の支持レール６０に沿ってラック１２の前側（矢印Ｆ側）へ引き出されると、回動アーム６６のスライドピン７０がガイドレール６２に沿ってラック１２の前側へ移動する。
【００４５】
次に、ラック１２の引き出しに伴ってラック１２の重心Ｇが支持レール６０における電子装置３２の引き出し側（ラック１２の前側）の端部６０Ｆよりもラック１２の前側へ移動されると、次のようになる。
【００４６】
すなわち、二点鎖線で示されるように、支持レール６０の端部６０Ｆを支点として、電子装置３２がその前端側が下側へ位置するように回動される。この際、回動アーム６６は、スライドピン７０及び回動軸６８を回動中心として回動される。この結果、電子装置３２の上側突起部７２がガイドレール６２の下面に接触され、ガイドレール６２にラック１２の高さ方向上側へ向かう押上げ力Ｓが作用する。そして、上側突起部７２とガイドレール６２の下面との間には、摩擦力Ｑ１（＝押上げ力Ｓ×ガイドレール６２の下面の摩擦係数）が発生する。
【００４７】
なお、図５に示される状態では、スライドピン７０に、電子装置３２から回動アーム６６に沿った荷重Ｔが作用される。この荷重Ｔは、ラック１２の前後方向前側へ向かう分力ＴＸと、ラック１２の高さ方向下側へ向かう分力ＴＹとに分解される。この場合、スライドピン７０とガイドレール６２の上面との間には、摩擦力Ｑ２（＝分力ＴＹ×ガイドレール６２の上面の摩擦係数）が発生する。
【００４８】
ここで、分力ＴＸ＜摩擦力Ｑ１＋摩擦力Ｑ２の場合は、スライドピン７０がラック１２の前側へ移動せず、電子装置３２がラック１２内の所定位置で保持される。一方、分力ＴＸ≧摩擦力Ｑ１＋摩擦力Ｑ２の場合は、スライドピン７０がラック１２の前側へ移動される。
【００４９】
次に、図６に示されるように、電子装置３２がラック１２の前側（矢印Ｆ側）へさらに移動されると、電子装置３２の後側が支持レール６０の端部６０Ｆの上に載置された状態で、スライドピン７０と上側支持部６４とがラック１２の前後方向に係合される。
【００５０】
これにより、上側支持部６４によってスライドピン７０のラック１２の前側への移動が制限され、ラック１２から電子装置３２が引き出された状態で保持される。この状態では、上側支持部６４から電子装置３２の引き出し側へ向けて斜め下方に延出する回動アーム６６によって、電子装置３２がラック１２の外側で保持される。また、ラック１２から電子装置３２が引き出された状態では、電子装置３２の中央内蔵ユニット３６Ｍがラック１２から露出される。これにより、矢印Ｅで示されるように、中央内蔵ユニット３６Ｍの交換等が可能になる。
【００５１】
このように本実施形態では、ラック１２から電子装置３２が引き出された状態で、電子装置３２の後側が支持レール６０によって支持され、電子装置３２の前側が回動アーム６６によって支持される。したがって、ラック１２からの引き出しに伴う電子装置３２の脱落が抑制される。
【００５２】
また、上側支持部６４から電子装置３２の引き出し側へ向けて斜め下方に延出する回動アーム６６によって電子装置３２を支持するため、電子装置３２の重量が効率的にラック１２に伝達される。
【００５３】
さらに、回動アーム６６は、電子装置３２の重心Ｇよりも前側で電子装置３２を保持する。これにより、本実施形態では、回動アーム６６が電子装置３２の重心Ｇよりも後側で電子装置３２を保持する場合と比較して、電子装置３２が安定する。
【００５４】
さらにまた、回動アーム６６の上端部６６Ｕは電子装置３２の重心Ｇよりも上側に位置し、回動アーム６６の下端部６６Ｌは電子装置３２の重心Ｇよりも下側に位置する。そのため、本実施形態では、回動アーム６６の上端部６６Ｕ及び下端部６６Ｌの何れもが電子装置３２の重心Ｇよりも下側または上側に位置する場合と比較して、ラック１２の前後方向に対する回動アーム６６の傾斜角θが大きくなる。
【００５５】
これにより、回動アーム６６の下端部６６Ｌに作用する電子装置３２の荷重（重量）Ｐに起因して、回動アーム６６に作用するモーメントＭが小さくなる。したがって、回動アーム６６の破損等が抑制される。換言すると、回動アーム６６が保持可能な電子装置３２の最大重量が大きくなる。そのため、電子装置３２の大型化や電子装置３２に対する中央内蔵ユニット３６Ｍ等の高密度実装が可能になる。
【００５６】
しかも、中央内蔵ユニット３６Ｍは、前述したようにラック１２から電子装置３２を引き出した状態でラック１２から露出する。そのため、中央内蔵ユニット３６Ｍの保守等が容易となる。したがって、本実施形態では、電子装置３２に対する内蔵ユニットの高密度実装を可能にしつつ、内臓ユニットの保守を容易にすることができる。
【００５７】
また、回動アーム６６が保持可能な電子装置３２の最大重量は、電子装置３２に対する回動アーム６６の取付位置や回動アーム６６の傾斜角θによって調整される。したがって、ラックマウント装置３０の設計自由度が向上する。
【００５８】
さらに、本実施形態では、図７Ａ及び図７Ｂに示されるように、ラック１２からの電子装置３２の引き出しに伴って、下側突起部７４によってスライドピン７０の傾斜面８４が下側へ押し下げられる。そして、図８Ａに示されるように、ラック１２からの電子装置３２の引き出しに伴って下側突起部７４がスライドピン７０を通過すると、弾性体８６の付勢力によってスライドピン７０が押し上げられる。これにより、下側突起部７４に対するラック１２の後側にスライドピン７０が配置される。
【００５９】
この状態で、図６に矢印Ｖで示されるように、支持レール６０の端部６０Ｆを支点として電子装置３２が回動されると、下側突起部７４がスライドピン７０とラック１２の前後方向に係合される。また、この状態では、前述した上側突起部７２がガイドレール６２とラック１２の高さ方向に係合される。これにより、電子装置３２の回動が制限される。したがって、ラック１２からの引き出しに伴う電子装置３２の脱落がさらに抑制される。
【００６０】
なお、図８Ｂに示されるように、例えば、作業者によってロック解除部材９０がラック１２の前側へ引き出されると、ロック解除部材９０の傾斜面９８によってスライドピン７０の被押下部８８が押し下げられる。これにより、下側突起部７４とスライドピン７０との係合状態が解除される。この状態で、電子装置３２が支持レール６０に沿ってラック１２内に収容される。この際、回動アーム６６のスライドピン７０は、ガイドレール６２に沿ってラック１２内に移動される。
【００６１】
次に、比較例に係るラックマウント装置１００と対比しながら、本実施形態に係るラックマウント装置３０の作用を説明する。
【００６２】
図９及び図１０には、比較例に係るラックマウント装置１００が示される。このラックマウント装置１００は、一対の前側ラック柱１８及び後側ラック柱２０に固定される外側レール１０２と、電子装置３２の側面３４Ｓに固定される内側レール１０４とを有する。
【００６３】
内側レール１０４は、外側レール１０２内にスライド可能に嵌め込まれる。そして、図１０に示されるように、ラック１２から電子装置３２が引き出された状態では、内側レール１０４は、その後端部１０４Ｒを外側レール１０２の前端部１０２Ｆに係合させた状態で電子装置３２を支持する。
【００６４】
そのため、比較例に係るラックマウント装置１００では、電子装置３２の重量に応じて、内側レール１０４の後端部１０４Ｒと外側レール１０２の前端部１０２Ｆとのラップ部分１０６が長くなる。このラップ部分１０６が長くなると、ラック１２に電子装置３２が収容された状態で、内側レール１０４の後端部１０４Ｒが外側レール１０２からラック１２の後側へ突出する。この場合、内側レール１０４の後端部１０４Ｒが、電子装置３２の配線等の障害になる可能性が発生する。
【００６５】
また、電子装置３２の重量に応じて内側レール１０４及び外側レール１０２の断面積を大きくすると、ラック１２内の電子装置３２の収容スペースが狭くなる可能性がある。
【００６６】
さらに、比較例に係るラックマウント装置１００では、外側レール１０２と内側レール１０４との間に大きな摩擦力が発生し、外側レール１０２に対して内側レール１０４がスライドし難くなる可能性がある。この対策として、外側レール１０２と内側レール１０４との間にボールベアリング等を介在させると、ラックマウント装置１００の構造が複雑化する可能性がある。
【００６７】
しかも、比較例に係るラックマウント装置１００では、作業者が電子装置３２を支持しながら、内側レール１０４を外側レール１０２内に精度良く嵌め入れる必要がある。そのため、ラック１２に電子装置３２を搭載する際に、手間がかかる可能性がある。
【００６８】
これに対して本実施形態では、前述したように、ラック１２から電子装置３２が引き出された状態で、上側支持部６４から電子装置３２の引き出し側へ向けて斜め下方に延出する回動アーム６６によって電子装置３２の前側が支持される。これにより、電子装置３２の重量が効率的にラック１２に伝達される。したがって、回動アーム６６の断面積を小さくすることができるため、ラック１２内の電子装置３２の収容スペースを広げることができる。また、電子装置３２の大型化や電子装置３２に対する前側内蔵ユニット３６Ｆ等の高密度実装が可能になる。
【００６９】
また、本実施形態では、図１１に示されるように、電子装置３２の後側を支持レール６０の端部６０Ｆに載置した状態で、作業者が電子装置３２をラック１２内へ押し込むことにより（矢印Ｎ）、上側突起部７２がガイドレール６２の下側に配置される。したがって、本実施形態では、比較例に係るラックマウント装置１００と比べて、ラック１２に電子装置３２を容易に搭載することができる。
【００７０】
次に、上側保持部及び回動アームの変形例について説明する。
【００７１】
図１２Ａ及び図１２Ｂに示されるように、上側支持部材１１０は、ラック１２に着脱可能に取り付けられても良い。これと同様に、回動アーム１１６は、ラック１２及び電子装置３２に着脱可能に取り付けられても良い。
【００７２】
具体的には、上側支持部材１１０は、フランジ部１１２と、引掛け部１１４とを有する。フランジ部１１２は、板状に形成されており、前側ラック柱１８の前壁部１８Ｆに重ねられた状態で、当該前壁部１８Ｆにビス５８で着脱可能に取り付けられる。
【００７３】
引掛け部１１４は、Ｌ字状に形成される。この引掛け部１１４は、フランジ部１１２からラック１２の前側に延出するアーム部１１４Ａと、アーム部１１４Ａの先端部からラック１２の上側へ延出する上側支持部１１４Ｂとを有する。
【００７４】
回動アーム１１６は、引掛け部１１４に対するラック１２の横幅方向内側に配置される。この回動アーム１１６の下端部１１６Ｌには、取付孔１２０が形成される。この取付孔１２０に電子装置３２の側面３４Ｓから突出する回動軸１１８が挿入されることにより、回動アーム１１６の下端部１１６Ｌが電子装置３２に取り付けられる。これにより、回動軸１１８を中心として、回動アーム１１６の下端部１１６Ｌが電子装置３２に対して回動される。
【００７５】
一方、回動アーム１１６の上端部１１６Ｕには、回動軸１２２が設けられる。この回動軸１２２は、回動アーム１１６の上端部１１６Ｕからラック１２の横幅方向外側へ突出し、上側支持部材１１０の引掛け部１１４に引っ掛けられる。この回動軸１２２を中心として、回動アーム１１６の上端部１１６Ｕが引掛け部１１４に対して回動される。
【００７６】
この変形例では、例えば、ラック１２から電子装置３２が引き出される際に、ラック１２及び電子装置３２に上側支持部材１１０及び回動アーム１１６が取り付けられる。そのため、ラック１２に複数の電子装置３２が搭載される場合には、複数の電子装置３２の間で、上側支持部材１１０及び回動アーム１１６の使い回しが可能になる。したがって、上側支持部材１１０及び回動アーム１１６の部品コストが削減される。
【００７７】
なお、図１３に示される変形例では、電子装置３２の側面３４Ｓには、回動アーム１１６を所定の傾斜角度で保持する保持ピン１２４が設けられる。この変形例では、回動アーム１１６が取り付けられた電子装置３２がラック１２から引き出されることにより、二点鎖線で示されるように、回動アーム１１６の回動軸１２２が上側支持部材１１０の引掛け部１１４に引っ掛けられる。したがって、引掛け部１１４に回動アーム１１６の回動軸１２２を容易に引っ掛けることができる。
【００７８】
また、図１４に示されるように、上側支持部材１２６は、ビス５８（図１２Ａ参照）ではなく、フランジ部１１２から突出する爪部１２８によって前側ラック柱１８に取り付けられても良い。
【００７９】
次に、図１５に示される変形例では、ラック１２から電子装置３２が引き出された状態で、保持部材の一例としての線状部材１３０によって電子装置３２が保持される。線状部材１３０は、例えば、ワイヤ等に形成される。この線状部材１３０の一端部には、取付ブラケット１３２が設けられる。
【００８０】
取付ブラケット１３２には、取付孔１３４が形成される。この取付孔１３４に電子装置３２の側面３４Ｓから突出する回動軸１１８が挿入されることにより、線状部材１３０が電子装置３２に取り付けられる。これにより、回動軸１１８を中心として、線状部材１３０の一端部が電子装置３２に対して回動される。
【００８１】
一方、線状部材１３０の他端部には、取付フック部１３６が設けられる。取付フック部１３６は、Ｕ字状に形成される。この取付フック部１３６は、前側ラック柱１８の取付開口２２の下縁部２２Ａに引っ掛けられる。これにより、取付開口２２の下縁部２２Ａを中心として、線状部材１３０の他端部が前側ラック柱１８に対して回動される。なお、取付開口２２の下縁部２２Ａは、上側支持部の一例である。
【００８２】
ここで、線状部材１３０は、ラック１２から電子装置３２が引き出される際に、電子装置３２及び前側ラック柱１８に取り付けられる。この線状部材１３０は、ラック１２に電子装置３２が収容された状態では湾曲される。
【００８３】
一方、ラック１２から電子装置３２が引き出された状態では、線状部材１３０が直線状となる。この状態で、線状部材１３０は、取付開口２２の下縁部２２Ａから電子装置３２の引き出し側へ向けて斜め下方に延出し、ラック１２の外側で電子装置３２を保持する。したがって、上記実施形態と同様に、ラック１２からの電子装置３２の脱落が抑制される。
【００８４】
次に、図１６に示される変形例では、ラック１２から電子装置３２が引き出された状態で、保持部材の一例としての回動アーム１４０によって電子装置３２が保持される。
【００８５】
具体的には、一対の前側ラック柱１８と後側ラック柱２０（図２参照）との間には、横フレーム１３８が掛け渡される。また、電子装置３２の側面３４Ｓには、当該側面３４Ｓから突出する被保持ピン１４６が設けられる。なお、被保持ピン１４６は、被保持部の一例である。
【００８６】
回動アーム１４０の上端部１４０Ｕは、回動軸１４２を介して横フレーム１３８における電子装置３２の引き出し側（ラック１２の前側）の端部１３８Ａに連結される。これにより、回動軸１４２を中心として、回動アーム１４０の上端部１４０Ｕが前側ラック柱１８に対して回動される。なお、横フレーム１３８の端部１３８Ａは、上側支持部の一例である。
【００８７】
回動アーム１４０の下端部１４０Ｌには、フック部１４４が設けられる。フック部１４４は、Ｌ字状に形成される。このフック部１４４は、二点鎖線で示されるように、ラック１２に電子装置３２が収容された状態で、被保持ピン１４６に対するラック１２の前側に配置される。
【００８８】
ここで、フック部１４４には、ラック１２からの電子装置３２の引き出しに伴って、被保持ピン１４６に引っ掛けられる。この状態で、ラック１２から電子装置３２がさらに引き出されると、回動アーム１４０の上端部１４０Ｕが回動軸１４２を中心として回動する。そして、ラック１２から電子装置３２が引き出された状態では、回動アーム１４０が横フレーム１３８の端部１３８Ａから電子装置３２の引き出し側へ向けて斜め下方に延出し、ラック１２の外側で被保持ピン１４６を保持する。したがって、上記実施形態と同様に、ラック１２からの電子装置３２の脱落が抑制される。
【００８９】
なお、図１７に示される変形例では、回動アーム１５０は、上側リンク部材１５２と下側リンク部材１５４とを有する。上側リンク部材１５２の上端部は、回動軸１４２を介して横フレーム１３８の端部１３８Ａに連結される。
【００９０】
下側リンク部材１５４の上端部は、回動軸１５６を介して上側リンク部材１５２の下端部に連結される。これにより、上側リンク部材１５２と下側リンク部材１５４とが互いに回転可能とされる。この下側リンク部材１５４の下端部には、フック部１４４が設けられる。
【００９１】
ここで、回動アーム１５０は、ラック１２に電子装置３２が収容された状態では、二点鎖線で示されるように、上側リンク部材１５２と下側リンク部材１５４とが所定の角度θを成すように屈曲される。したがって、本変形例では、回動アーム１５０の収容スペースを小さくすることができる。
【００９２】
一方、ラック１２から電子装置３２が引き出された状態では、上側リンク部材１５２と下側リンク部材１５４とが直線状に配列される。そして、回動アーム１５０が横フレーム１３８の端部１３８Ａから電子装置３２の引き出し側へ向けて斜め下方に延出し、ラック１２の外側で被保持ピン１４６を保持する。したがって、上記実施形態と同様に、ラック１２からの電子装置３２の脱落が抑制される。
【００９３】
次に、ロック機構の変形例について説明する。
【００９４】
図１８Ａに示されるロック機構１６０は、ロック用レール１６２と、回転ロック部材１６６とを備える。ロック用レール１６２は、ラック１２の前後方向に延びると共に、支持レール６０の上に配置される。
【００９５】
また、このロック用レール１６２における電子装置３２の引き出し側（ラック１２の前側）の端部１６２Ｆは、支持レール６０の端部６０Ｆよりもラック１２の後側に配置される。これにより、ロック用レール１６２の端部１６２Ｆと支持レール６０の端部６０Ｆとの間に段差部１６４が形成される。なお、段差部１６４は、下側被係合部の一例である。
【００９６】
回転ロック部材１６６は、長尺状に形成されており、ロック用レール１６２に対するラック１２の横幅方向内側に配置される。この回転ロック部材１６６における電子装置３２の引き出し側（ラック１２の前側）の一端部（前端部）１６６Ｆは、電子装置３２の後側の側面３４Ｓに回動軸１６８を介して連結される。この回動軸１６８を中心として、回転ロック部材１６６の一端部１６６Ｆが電子装置３２に対して回動される。
【００９７】
一方、回転ロック部材１６６における電子装置３２の引き出し側と反対側（ラック１２の後側）の他端部（後端部）１６６Ｒには、スライドロック部１７０が設けられる。スライドロック部１７０は、回転ロック部材１６６の他端部１６６Ｒからラック１２の横幅方向外側へ突出し、ロック用レール１６２の上に載置される。このスライドロック部１７０は、ラック１２からの電子装置３２の引き出しに伴ってロック用レール１６２に沿ってラック１２の前側へ移動する。
【００９８】
そして、図１８Ｂに示されるように、ラック１２から電子装置３２が引き出された状態では、矢印Ｊで示されるように、スライドロック部１７０がロック用レール１６２の端部１６２Ｆから自重により落下し、段差部１６４に落とし込まれる。この状態で、矢印Ｖで示されるように、支持レール６０の端部６０Ｆを支点として電子装置３２が回動すると、スライドロック部１７０が段差部１６４とラック１２の前後方向に係合される。これにより、電子装置３２の回動（矢印Ｖ方向）が制限され、ラック１２からの電子装置３２の脱落が抑制される。
【００９９】
一方、ラック１２に電子装置３２を収容する際には、作業者が回転ロック部材１６６の他端部１６６Ｒを持ち上げ、スライドロック部１７０と段差部１６４との係合状態を解除する。これにより、ラック１２内に電子装置３２が収容可能になる。なお、スライドロック部１７０は、下側係合部の一例である。
【０１００】
次に、図１９Ａに示されるロック機構１８０は、ロック用レール１６２と、ロックピン１８２とを備える。なお、ロックピン１８２は、下側係合部の一例である。
【０１０１】
ロックピン１８２は、電子装置３２の後側の側面３４Ｓに、一対のブラケット１８４を介してラック１２の高さ方向にスライド可能に取り付けられる。このロックピン１８２は、ラック１２内に電子装置３２が収容された状態で、ロック用レール１６２の上に載置される。また、ロックピン１８２の上端部には、抜け留め用の係止部１８２Ａが設けられる。この係止部１８２Ａは、ラック１２の高さ方向に配列された一対のブラケット１８４のうち、上側のブラケット１８４に係止される。
【０１０２】
ロックピン１８２は、ラック１２からの電子装置３２の引き出しに伴ってロック用レール１６２に沿ってラック１２の前側へ移動する。そして、図１９Ｂに示されるように、ラック１２から電子装置３２が引き出された状態では、矢印Ｊで示されるように、スライドロック部１７０がロック用レール１６２の端部１６２Ｆから自重により落下し、段差部１６４に落とし込まれる。これにより、ロックピン１８２の係止部１８２Ａが上側のブラケット１８４に係止される。
【０１０３】
この状態で、矢印Ｖで示されるように、支持レール６０の端部６０Ｆを支点として電子装置３２が回動すると、ロックピン１８２の下端部が段差部１６４とラック１２の前後方向に係合される。これにより、電子装置３２の回動（矢印Ｖ方向）が制限され、ラック１２からの電子装置３２の脱落が抑制される。
【０１０４】
一方、ラック１２に電子装置３２を収容する際には、作業者が係止部１８２Ａを持ち上げ、ロックピン１８２と段差部１６４との係合状態を解除する。これにより、ラック１２内に電子装置３２が収容可能になる。
【０１０５】
次に、図２０Ａに示されるロック機構１９０は、ロックピン１９２と、一対のブラケット１９４と、弾性体１９６とを備える。なお、ロックピン１９２は、下側被係合部の一例である。
【０１０６】
ロックピン１９２は、前側ラック柱１８に、一対のブラケット１９４を介してラック１２の高さ方向にスライド可能に取り付けられる。また、ロックピン１９２には、コイルスプリング等の弾性体１９６が取り付けられる。
【０１０７】
弾性体１９６は、上側のブラケット１９４とロックピン１９２に設けられたフランジ部１９８との間に圧縮された状態で配置される。この弾性体１９６によって、ロックピン１９２が下方へ常時付勢される。
【０１０８】
また、ロックピン１９２の上端部には、作業者によって上方へ持ち上げられる操作部１９２Ａが設けられる。一方、ロックピン１９２の下端部には、傾斜面２００が形成される。傾斜面２００は、ラック１２内に電子装置３２が収容された状態で下側突起部７４に対するラック１２の前側に位置する。この傾斜面２００は、ロックピン１９２の下端側から上端側に向かうに従ってラック１２の後側へ位置するように傾斜される。
【０１０９】
ここで、図２０Ｂに示されるように、傾斜面２００は、ラック１２からの電子装置３２の引き出しに伴って、下側突起部７４によって押し上げられる。そして、図２０Ｃに示されるように、ラック１２から電子装置３２が引き出された状態では、ロックピン１９２が下側突起部７４を乗り越え、ロックピン１９２が下側突起部７４に対するラック１２の後側へ配置される。
【０１１０】
この状態で、矢印Ｖで示されるように、支持レール６０の端部６０Ｆを支点として電子装置３２が回動すると、下側突起部７４がロックピン１９２の下端部とラック１２の前後方向に係合される。これにより、電子装置３２の回動（矢印Ｖ方向）が制限され、ラック１２からの電子装置３２の脱落が抑制される。
【０１１１】
一方、ラック１２に電子装置３２を収容する際には、作業者が操作部１９２Ａを持ち上げ、下側突起部７４とロックピン１９２との係合状態を解除する。これにより、ラック１２内に電子装置３２が収容可能になる。
【０１１２】
また、一対のブラケット１９４は前側ラック柱１８に着脱可能に取り付けられる。そのため、複数の電子装置３２の間で、一対のブラケット１９４及びロックピン１９２の使い回しが可能になる。したがって、一対のブラケット１９４及びロックピン１９２の部品コストが削減される。
【０１１３】
次に、図２１Ａに示されるロック機構２１０は、ブラケット２１２と、回転ロック板２１４とを備える。なお、回転ロック板２１４は、下側被係合部の一例である。
【０１１４】
ブラケット２１２は、前側ラック柱１８の前壁部１８Ｆに図示しないビス等によって固定される。このブラケット２１２には、ラック１２の横幅方向に延びる回動軸２１６を介して回転ロック板２１４が取り付けられる。この回転ロック板２１４は、図示しないストッパ機構により、図２１Ｃに示される略鉛直状態からラック１２の後側への回動が制限される。
【０１１５】
回転ロック板２１４は、ラック１２内に電子装置３２が収容された状態で、下側突起部７４に対するラック１２の前側に位置する。そして、ラック１２からの電子装置３２の引き出しに伴って、矢印ａで示されるように、下側突起部７４によってラック１２の前側へ押圧される。そして、図２１Ｂに示されるように下側突起部７４が回転ロック板２１４の下側を通過し、ラック１２から電子装置３２が引き出された状態になると、矢印ｂで示されるように自重により回転ロック板２１４が下側突起部７４に対するラック１２の後側へ回動される。
【０１１６】
この状態で、矢印Ｖで示されるように、支持レール６０の端部６０Ｆを支点として電子装置３２が回動すると、下側突起部７４が回転ロック板２１４とラック１２の前後方向に係合される。これにより、電子装置３２の回動（矢印Ｖ方向）が制限され、ラック１２からの電子装置３２の脱落が抑制される。
【０１１７】
また、ブラケット２１２は前側ラック柱１８に着脱可能に取り付けられる。そのため、複数の電子装置３２の間で、ブラケット２１２及び回転ロック板２１４の使い回しが可能になる。したがって、ブラケット２１２及び回転ロック板２１４の部品コストが削減される。
【０１１８】
次に、上側係合部の変形例について説明する。
【０１１９】
図２２Ａに示されるように、上側係合部材２２０は、断面Ｌ字形状に形成される。この上側係合部材２２０は、フランジ部２２２と、張出し部２２４とを有する。なお、張出し部２２４は、上側係合部の一例である。
【０１２０】
フランジ部２２２は、電子装置３２の後側の側面３４Ｓにビス２２６によって固定される。張出し部２２４は、フランジ部２２２の上端部からラック１２の横幅方向外側へ張り出し、ガイドレール６２の下側に配置される。
【０１２１】
ここで、張出し部２２４の上面は、ラック１２に電子装置３２が収容された状態で、ガイドレール６２の後端側の下面とラック１２の高さ方向に係合される係合面２２４Ａとされる。これにより、例えば、地震時やラック１２の輸送時における電子装置３２の振動が抑制される。
【０１２２】
また、図２２Ｂに示されるように、張出し部２２４の係合面２２４Ａは、ラック１２から電子装置３２が引き出された状態で、ガイドレール６２の前端側の下面とラック１２の高さ方向に係合される。これにより、矢印Ｖで示されるように、支持レール６０の端部６０Ｆを支点とした電子装置３２の回動が制限される。したがって、ラック１２からの電子装置３２の脱落が抑制される。また、張出し部２２４の係合面２２４Ａはガイドレール６２の下面に面接触させるため、電子装置３２の回動がより確実に制限される。
【０１２３】
なお、張出し部２２４の係合面２２４Ａは、ガイドレール６２とは別の部材に係合されても良い。また、ラック１２の前側及び後側には、張出し部２２４の係合面２２４Ａと係合される部材が別々に設けられても良い。
【０１２４】
次に、図２３Ａ及び図２３Ｂを参照しながら、電子装置３２の側面３４Ｓに設けられる下側突起部２３０と上側突起部２３２との位置関係について補足する。
【０１２５】
なお、図２３Ａ及び図２３Ｂでは、支持レール６０とガイドレール６２との間隔がＤで示される。また、下側突起部２３０における支持レール６０との接触部２３０Ａと上側突起部２３２におけるガイドレール６２との接触部２３２Ａとの間隔がＬ１で示される。さらに、下側突起部２３０の接触部２３０Ａから上側突起部２３２の接触部２３２Ａまでの高さがＬ２で示される。
【０１２６】
図２３Ａに示されるように、下側突起部２３０と上側突起部２３２とは、ラック１２の前後方向にずらされる。これにより、接触部２３０Ａ，２３２Ａ間の間隔Ｌ１が支持レール６０とガイドレール６２との間隔Ｄよりも広くなる（Ｄ＜Ｌ１）。この場合、図２３Ｂに矢印Ｖで示されるように、支持レール６０の端部６０Ｆを支点として電子装置３２が回動されたときに、下側突起部２３０及び上側突起部２３２の接触部２３０Ａ，２３２Ａが支持レール６０及びガイドレール６２にそれぞれ圧接され易くなる。これにより、電子装置３２の回動が制限されるため、ラック１２からの電子装置３２の脱落が抑制される。
【０１２７】
また、下側突起部２３０と上側突起部２３２とがラック１２の前後方向にずらされることにより、接触部２３０Ａから接触部２３２Ａまでの高さＬ２が支持レール６０とガイドレール６２との間隔Ｄよりも短くなる（Ｌ２＜Ｄ）。これにより、作業者が電子装置３２をラック１２に搭載する際に、支持レール６０とガイドレール６２との間に下側突起部２３０及び上側突起部２３２を挿入し易くなる。したがって、作業者がラック１２に電子装置３２を搭載し易くなる。
【０１２８】
このように上側突起部２３２と下側突起部２３０とがラック１２の前後方向にずらされることにより、ラック１２からの電子装置３２の脱落が抑制されると共に、ラック１２に電子装置３２を搭載し易くなる。
【０１２９】
なお、上記実施形態では、電子装置３２がラック１２の前側から引き出されるが、電子装置３２はラック１２の後側から引き出されても良い。この場合、電子装置３２の引き出し側は、ラック１２の後側となる。
【０１３０】
また、上記実施形態における上側突起部７２及びロック機構７６の少なくとも一方は、省略されても良い。
【０１３１】
以上、本願が開示する技術の一実施例について説明したが、本願が開示する技術は上記の実施例に限定されるものでない。また、上記実施例及び各種の変形例を適宜組み合わせて用いても良いし、本願が開示する技術の要旨を逸脱しない範囲において、種々なる態様で実施し得ることは勿論である。
【０１３２】
なお、以上の実施形態に関し、さらに以下の付記を開示する。
【０１３３】
（付記１）
ラックに設けられ、該ラックの前後方向に延びる支持レールと、
前記支持レールに沿って前記ラック内に収容されると共に該支持レールに支持される電子装置と、
前記ラックに設けられ、前記支持レールよりも上側に配置される上側支持部と、
前記電子装置が前記ラックから前記支持レールに沿って引き出された状態で、前記上側支持部から前記電子装置の引き出し側へ向けて斜め下方に延出し、前記ラックの外側で前記電子装置を保持する保持部材と、
を備えるラックマウント装置。
（付記２）
前記保持部材は、前記電子装置の重心よりも該電子装置の引き出し側で該電子装置を保持する、
付記１に記載のラックマウント装置。
（付記３）
前記上側支持部は、前記電子装置の重心よりも上側に配置され、
前記保持部材は、前記電子装置の重心よりも下側で該電子装置を保持する、
付記１または付記２に記載のラックマウント装置。
（付記４）
前記電子装置の側面における上部に設けられ、該電子装置の重心よりも後側に位置する上側係合部と、
前記ラックに設けられ、該ラックから前記電子装置が引き出された状態で前記上側係合部の上側に位置する上側被係合部と、
を備える付記１〜付記３の何れか１つに記載のラックマウント装置。
（付記５）
前記上側係合部は、前記電子装置の側面から突出する上側突起部とされる、
付記４の記載のラックマウント装置。
（付記６）
前記電子装置の側面における下部に設けられ、該電子装置の重心よりも後側に位置する下側係合部と、
前記ラックに設けられ、該ラックから前記電子装置が引き出された状態で前記下側係合部の後側に位置する下側被係合部と、
を備える付記１〜付記５の何れか１つに記載のラックマウント装置。
（付記７）
前記下側係合部は、前記電子装置の側面から突出する下側突起部とされる、
付記６の記載のラックマウント装置。
（付記８）
前記ラックに設けられ、前記支持レールの上に配置されると共に前記ラックの前後方向に延びるロック用レールと、
前記電子装置の側面に、一端部が回動軸を介して連結される回転ロック部材と、
を備え、
前記下側係合部は、前記回転ロック部材の他端部に設けられ、前記電子装置の引き出しに伴って前記ロック用レールに沿って移動するスライドロック部とされ、
前記下側被係合部は、前記ロック用レールに設けられ、前記電子装置の引き出しに伴って前記スライドロック部が落とし込まれる段差部とされる、
付記６または付記７に記載のラックマウント装置。
（付記９）
前記保持部材は、前記上側支持部及び前記電子装置の各々に対し、前記ラックの横幅方向を回動中心として回動する、
付記１〜付記８の何れか１つに記載のラックマウント装置。
（付記１０）
前記支持レールは、前記電子装置を前記ラックの前面側から該ラック内へ案内する、
付記１〜付記９の何れか１つに記載のラックマウント装置。
（付記１１）
前記支持レールは、前記ラックから前記電子装置が引き出された状態で該電子装置の後側を支持する、
付記１〜付記１０の何れか１つに記載のラックマウント装置。
（付記１２）
前記ラックに設けられ、前記支持レールの上に配置されると共に前記ラックの前後方向に延びるガイドレールを備え、
前記保持部材は、下端部が前記電子装置の側面に回動軸を介して連結される回動アームとされ、
前記回動アームの上端部には、前記電子装置の引き出しに伴って前記ガイドレールに沿って移動するスライド部が設けられ、
前記上側支持部は、前記スライド部に対して前記ラックの引き出し側に配置され、前記ラックから前記電子装置が引き出された状態で前記スライド部と係合する、
付記１〜付記１１の何れか１つに記載のラックマウント装置。
（付記１３）
前記上側支持部は、前記ガイドレールに設けられる、
付記１２に記載のラックマウント装置。
（付記１４）
前記電子装置の側面から突出する被保持部を備え、
前記保持部材は、上端部が前記上側支持部に回動軸を介して連結される回動アームとされ、
前記回動アームの下端部には、前記被保持部に対して前記ラックの引き出し側に配置され、前記電子装置の引き出しに伴って前記被保持部に引っ掛かるフック部が設けられる、
付記１〜付記１１の何れか１つに記載のラックマウント装置。
（付記１５）
前記回動アームは、前記上側支持部に連結される上側リンク部材と、前記上側リンク部材に回動軸を介して連結される下側リンク部材と、を有する、
付記１４に記載のラックマウント装置。
（付記１６）
前記保持部材は、下端部が前記電子装置の側面に取り付けられ、上端部が前記上側支持部に取り付けられる線状部材とされる、
付記１〜付記１１の何れか１つに記載のラックマウント装置。
（付記１７）
前記線状部材の前記上端部には、前記上側支持部に引っ掛けられる取付フック部が設けられる、
付記１６に記載のラックマウント装置。
（付記１８）
前記ラックは、該ラックの前後方向に互いに対向すると共に、前記電子装置の横幅方向両側にそれぞれ配置される一対の前側ラック柱及び後側ラック柱を有し、
前記支持レールは、前記電子装置の横幅方向両側に配置される前記一対の前側ラック柱及び後側ラック柱にそれぞれ架け渡される、
付記１〜付記１７の何れか１つに記載のラックマウント装置。
（付記１９）
前記上側支持部は、前記前側ラック柱に着脱可能に取り付けられ、
前記保持部材は、前記上側支持部及び前記電子装置に着脱可能に取り付けられる、
付記１８の記載のラックマウント装置。
（付記２０）
前記電子装置は、筐体と、前記筐体の上面から該筐体内に収容される内蔵ユニットとを有する、
付記１〜付記１９の何れか１つに記載のラックマウント装置。
【符号の説明】
【０１３４】
１２      ラック
１２Ｆ    前面
１８      前側ラック柱
２０      後側ラック柱
２２      取付開口
２２Ａ    下縁部（上側支持部の一例）
３０      ラックマウント装置
３２      電子装置
３４      筐体
３４Ｓ    側面（電子装置の側面の一例）
３６Ｍ    中央内蔵ユニット（内蔵ユニットの一例）
６０      支持レール
６２      ガイドレール（上側被係合部の一例）
６４      上側支持部
６６      回転アーム（保持部材の一例）
６６Ｌ    下端部（回転アームの下端部の一例）
６６Ｕ    上端部（回転アームの上端部の一例）
６８      回動軸
７０      スライドピン（スライド部の一例）
７２      上側突起部（上側係合部の一例）
７４      下側突起部（下側係合部の一例）
７６      ロック機構
８２      ロックピン（下側被係合部の一例）
１１４Ｂ  上側支持部
１１６    回転アーム（保持部材の一例）
１１６Ｌ  下端部（回転アームの下端部の一例）
１１６Ｕ  上端部（回転アームの上端部の一例）
１１８    回動軸
１３０    線状部材（保持部材の一例）
１３６    取付フック部
１３８    横フレーム
１３８Ａ  端部（上側支持部の一例）
１４０    回転アーム（保持部材の一例）
１４０Ｌ  下端部
１４２    回動軸
１４４    フック部
１４６    被保持ピン（被保持部の一例）
１５０    回転アーム（保持部材の一例）
１５２    上側リンク部材
１５４    下側リンク部材
１５６    回動軸
１６２    ロック用レール
１６４    段差部（下側被係合部の一例）
１６６    回転ロック部材
１６６Ｆ  一端部（回転ロック部材の一端部の一例）
１６６Ｒ  他端部（回転ロック部材の他端部の一例）
１６８    回動軸
１７０    スライドロック部（下側係合部の一例）
１８２    ロックピン（下側係合部の一例）
１９２    ロックピン（下側被係合部の一例）
２１４    回転ロック板（下側被係合部の一例）
２２０    上側係合部材
２２４    張出し部（上側係合部の一例）
Ｇ        重心
【図１】
0006424588.tif 000002
【図２】
0006424588.tif 000003
【図３】
0006424588.tif 000004
【図４】
0006424588.tif 000005
【図５】
0006424588.tif 000006
【図６】
0006424588.tif 000007
【図７Ａ】
0006424588.tif 000008
【図７Ｂ】
0006424588.tif 000009
【図８Ａ】
0006424588.tif 000010
【図８Ｂ】
0006424588.tif 000011
【図９】
0006424588.tif 000012
【図１０】
0006424588.tif 000013
【図１１】
0006424588.tif 000014
【図１２Ａ】
0006424588.tif 000015
【図１２Ｂ】
0006424588.tif 000016
【図１３】
0006424588.tif 000017
【図１４】
0006424588.tif 000018
【図１５】
0006424588.tif 000019
【図１６】
0006424588.tif 000020
【図１７】
0006424588.tif 000021
【図１８Ａ】
0006424588.tif 000022
【図１８Ｂ】
0006424588.tif 000023
【図１９Ａ】
0006424588.tif 000024
【図１９Ｂ】
0006424588.tif 000025
【図２０Ａ】
0006424588.tif 000026
【図２０Ｂ】
0006424588.tif 000027
【図２０Ｃ】
0006424588.tif 000028
【図２１Ａ】
0006424588.tif 000029
【図２１Ｂ】
0006424588.tif 000030
【図２１Ｃ】
0006424588.tif 000031
【図２２Ａ】
0006424588.tif 000032
【図２２Ｂ】
0006424588.tif 000033
【図２３Ａ】
0006424588.tif 000034
【図２３Ｂ】
0006424588.tif 000035